(57)【要約】【課題】移動局において、ＣＢ-ＲＮＴＩを含む上りリンクスケジューリンググラントによって指定されている共有上りリソースを用いて送信された上りデータ信号の送信結果を確認する。【解決手段】本発明に係る移動通信システムは、移動局ＵＥが、ＣＢ-ＲＮＴＩを含む上りリンクスケジューリンググラントを受信した場合、無線基地局ｅＮＢに対して、かかる上りリンクスケジューリンググラントによって指定されている共有上りリソースを用いて上りデータ信号を送信する工程Ａと、無線基地局ｅＮＢが、移動局ＵＥによって送信された上りデータ信号の受信に成功した場合、ＣＢ-ＲＮＴＩを含む下り制御信号を送信する工程Ｂと、無線基地局ｅＮＢが、かかる下り制御信号によって指定されている下りリソースを用いて移動局ＵＥのＣ-ＲＮＴＩを含むＭＡＣ-ＣＥを送信する工程Ｃとを有する。【選択図】図５
2011041160.tif 000002
【特許請求の範囲】
【請求項１】
移動局が、無線基地局から、特定の移動局の識別情報ではない所定識別情報を含む上りスケジューリング信号を受信した場合、該無線基地局に対して、該上りスケジューリング信号によって指定されている共有上りリソースを用いて、上りデータ信号を送信する工程Ａと、
前記無線基地局が、前記移動局によって送信された前記上りデータ信号の受信に成功した場合、前記所定識別情報を含む下り制御信号を送信する工程Ｂと、
前記無線基地局が、前記下り制御信号によって指定されている下りリソースを用いて、前記移動局の識別情報を含む下りデータ信号を送信する工程Ｃとを有することを特徴とする移動通信方法。
【請求項２】
前記工程Ｃにおいて、前記下りデータ信号は、前記工程Ａにおいて前記上りデータ信号を送信したＨＡＲＱプロセスの識別情報を更に含むことを特徴とする請求項１に記載の移動通信方法。
【請求項３】
前記移動局が、前記工程Ａにおいて前記上りデータ信号を送信してから所定期間内に前記下りデータ信号を受信しない場合には、該工程Ａにおける該上りデータ信号の送信に失敗したものと判定する工程を更に有することを特徴とする請求項１に記載の移動通信方法。
【請求項４】
前記移動局が、前記工程Ａにおける前記上りデータ信号の送信に失敗したものと判定した後、所定識別情報或いは前記移動局の識別情報を含む上りスケジューリング信号を受信した場合、該上りスケジューリング信号によって指定されている共有上りリソース或いは個別上りリソースを用いて、前記上りデータ信号を再送する工程を更に有することを特徴とする請求項１に記載の移動通信方法。
【請求項５】
移動局が、無線基地局から、特定の移動局の識別情報ではない所定識別情報を含む上りスケジューリング信号を受信した場合、該無線基地局に対して、該上りスケジューリング信号によって指定されている共有上りリソースを用いて、上りデータ信号を送信する工程Ａと、
前記無線基地局が、前記移動局によって送信された前記上りデータ信号の受信に成功した場合、前記移動局の識別情報を含む下り制御信号を送信する工程Ｂと、
前記無線基地局が、前記下り制御信号によって指定されている下りリソースを用いて、前記上りデータ信号の受信に成功した旨を示す下りデータ信号を送信する工程Ｃとを有することを特徴とする移動通信方法。
【請求項６】
前記工程Ｃにおいて、前記下りデータ信号は、前記工程Ａにおいて前記上りデータ信号を送信したＨＡＲＱプロセスの識別情報を更に含むことを特徴とする請求項５に記載の移動通信方法。
【請求項７】
前記移動局が、前記工程Ａにおいて前記上りデータ信号を送信してから所定期間内に前記下りデータ信号を受信しない場合には、該工程Ａにおける該上りデータ信号の送信に失敗したものと判定する工程を更に有することを特徴とする請求項５に記載の移動通信方法。
【請求項８】
前記移動局が、前記工程Ａにおける前記上りデータ信号の送信に失敗したものと判定した後、所定識別情報或いは前記移動局の識別情報を含む上りスケジューリング信号を受信した場合、該上りスケジューリング信号によって指定されている共有上りリソース或いは個別上りリソースを用いて、前記上りデータ信号を再送する工程を更に有することを特徴とする請求項５に記載の移動通信方法。
【請求項９】
特定の移動局の識別情報ではない所定識別情報を含む上りスケジューリング信号によって指定されている共有上りリソースを用いて、移動局ＵＥによって送信された上りデータ信号の受信に成功した場合、該所定識別情報を含む下り制御信号を送信するように構成されている下り制御信号送信部と、
前記下り制御信号によって指定されている下りリソースを用いて、前記移動局の識別情報を含む下りデータ信号を送信するように構成されている下りデータ信号送信部とを具備することを特徴とする無線基地局。
【請求項１０】
前記下りデータ信号送信部は、前記上りデータ信号を送信した前記移動局におけるＨＡＲＱプロセスの識別情報を更に含む前記下りデータ信号を送信するように構成されていることを特徴とする請求項９に記載の無線基地局。
【請求項１１】
特定の移動局の識別情報ではない所定識別情報を含む上りスケジューリング信号によって指定されている共有上りリソースを用いて、移動局によって送信された上りデータ信号の受信に成功した場合、該移動局の識別情報を含む下り制御信号を送信するように構成されている下り制御信号送信部と、
前記下り制御信号によって指定されている下りリソースを用いて、前記上りデータ信号の受信に成功した旨を示す下りデータ信号を送信するように構成されている下りデータ信号送信部とを具備することを特徴とする無線基地局。
【請求項１２】
前記下りデータ信号送信部は、前記上りデータ信号を送信した前記移動局におけるＨＡＲＱプロセスの識別情報を更に含む前記下りデータ信号を送信するように構成されていることを特徴とする請求項１１に記載の無線基地局。
【請求項１３】
無線基地局から、特定の移動局の識別情報ではない所定識別情報を含む上りスケジューリング信号を受信した場合、該無線基地局に対して、該上りスケジューリング信号によって指定されている共有上りリソースを用いて、上りデータ信号を送信するように構成されている上りデータ信号送信部と、
前記無線基地局から、前記所定識別情報を含む下り制御信号を受信するように構成されている下り制御信号受信部と、
前記無線基地局から、前記下り制御信号によって指定されている下りリソースを用いて、前記移動局の識別情報を含む下りデータ信号を受信するように構成されている下りデータ信号受信部とを具備し、
前記上りデータ信号送信部は、前記上りデータ信号を送信してから所定期間内に前記下りデータ信号を受信しない場合には、該上りデータ信号の送信に失敗したものと判定するように構成されていることを特徴とする移動局。
【請求項１４】
前記上りデータ信号送信部は、前記上りデータ信号の送信に失敗したものと判定した後、所定識別情報或いは前記移動局の識別情報を含む上りスケジューリング信号を受信した場合、該上りスケジューリング信号によって指定されている共有上りリソース或いは個別上りリソースを用いて、前記上りデータ信号を再送するように構成されていることを特徴とする請求項１３に記載の移動局。
【請求項１５】
無線基地局から、特定の移動局の識別情報ではない所定識別情報を含む上りスケジューリング信号を受信した場合、該無線基地局に対して、該上りスケジューリング信号によって指定されている共有上りリソースを用いて、上りデータ信号を送信するように構成されている上りデータ信号送信部と、
前記無線基地局から、前記移動局の識別情報を含む下り制御信号を受信するように構成されている下り制御信号受信部と、
前記無線基地局から、前記下り制御信号によって指定されている下りリソースを用いて、前記上りデータ信号の受信に成功した旨を示す下りデータ信号を受信するように構成されている下りデータ信号受信部とを具備し、
前記上りデータ信号送信部は、前記上りデータ信号を送信してから所定期間内に前記下りデータ信号を受信しない場合には、該上りデータ信号の送信に失敗したものと判定するように構成されていることを特徴とする移動局。
【請求項１６】
前記上りデータ信号送信部は、前記上りデータ信号の送信に失敗したものと判定した後、所定識別情報或いは前記移動局の識別情報を含む上りスケジューリング信号を受信した場合、該上りスケジューリング信号によって指定されている共有上りリソース或いは個別上りリソースを用いて、前記上りデータ信号を再送するように構成されていることを特徴とする請求項１５に記載の移動局。
【発明の詳細な説明】
【技術分野】
【０００１】
本発明は、移動通信方法、無線基地局及び移動局に関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式の仕様策定会合において、「Ｃｏｎｔｅｎｔｉｏｎ  Ｂａｓｅｄ  Ｇｒａｎｔ」を用いた衝突型上り送信制御方法の採用が提案されている（非特許文献１参照）。以下、「Ｃｏｎｔｅｎｔｉｏｎ  Ｂａｓｅｄ  Ｇｒａｎｔ」を用いた衝突型上り送信制御方法について簡単に説明する。
【０００３】
第１に、移動局ＵＥが、移動局ＵＥのＣ-ＲＮＴＩ（Ｃｅｌｌ-Ｒａｄｉｏ  Ｎｅｔｗｏｒｋ  Ｔｅｍｐｏｒａｒｙ  Ｉｄｅｎｔｉｔｙ）宛てのＰＤＣＣＨ（Ｐｈｙｓｉｃａｌ  Ｄｏｗｎｌｉｎｋ  Ｃｏｎｔｒｏｌ  Ｃｈａｎｎｅｌ、物理下りリンク制御チャネル）を介して送信される上りリンクスケジューリンググラント（Ｕｐｌｉｎｋ  Ｓｃｈｅｄｕｌｉｎｇ  Ｇｒａｎｔ）に加えて、ＣＢ-ＲＮＴＩ（Ｃｏｎｔｅｎｔｉｏｎ  Ｂａｓｅｄ-Ｒａｄｉｏ  Ｎｅｔｗｏｒｋ  Ｔｅｍｐｏｒａｒｙ  Ｉｄｅｎｔｉｔｙ）宛てのＰＤＣＣＨを介して送信される上りリンクスケジューリンググラントについても監視し受信する。
【０００４】
第２に、移動局ＵＥは、ＣＢ-ＲＮＴＩ宛てのＰＤＣＣＨを介して送信される上りリンクスケジューリンググラントを受信した場合、かかる上りリンクスケジューリンググラントによって指定されているＴＦ（Ｔｒａｎｓｍｉｓｓｉｏｎ  Ｆｏｒｍａｔ、送信フォーマット）やＭＣＳ（Ｍｏｄｕｌａｔｉｏｎ  ａｎｄ  Ｃｏｄｅ  Ｓｈｅｍｅ、変調方式及び符号化方式の組み合わせ）やリソースブロック（ＲＢ：Ｒｅｓｏｕｒｃｅ  Ｂｌｏｃｋ）等を用いて、ＰＵＳＣＨ（Ｐｈｙｓｉｃａｌ  Ｕｐｌｉｎｋ  Ｓｈａｒｅｄ  Ｃｈａｎｎｅｌ、物理上りリンク共有チャネル）を介して上りデータ信号を送信する。
【０００５】
ここで、移動局ＵＥは、誰が上りデータ信号を送信したか分かるように、上りデータ信号に対して、移動局ＵＥのＣ-ＲＮＴＩを含む「ＭＡＣ  ＣＥ（Ｃｏｎｔｒｏｌ  Ｅｌｅｍｅｎｔ）」を付加しておく。
【０００６】
この結果、「Ｃｏｎｔｅｎｔｉｏｎ  Ｂａｓｅｄ  Ｇｒａｎｔ」を用いた衝突型上り送信制御方法によれば、「移動局ＵＥによるスケジューリング要求（Ｓｃｈｅｄｕｌｉｎｇ  Ｒｅｑｕｅｓｔ）の送信」→「無線基地局ｅＮＢによる上りリンクスケジューリンググラントの送信」→「移動局ＵＥによるバッファステータスレポート（Ｂｕｓｆｆｅｒ  Ｓｔａｔｕｓ  Ｒｅｐｏｒｔ）の送信」→「無線基地局ｅＮＢによる上りリンクスケジューリンググラントの送信」→「移動局ＵＥによる上りデータ信号の送信」というＬ２手順を省くことができ、上りデータ信号の送信遅延を短縮することができると考えられている。
【０００７】
また、「Ｃｏｎｔｅｎｔｉｏｎ  Ｂａｓｅｄ  Ｇｒａｎｔ」を用いた衝突型上り送信制御方法によれば、通常のＣ-ＲＮＴＩ宛てのスケジューリングした後の未使用の上りリソースを効率的に使用することができると考えられている。
【先行技術文献】
【非特許文献】
【０００８】
【非特許文献１】３ＧＰＰ寄書  Ｒ２-０９３８１２
【発明の概要】
【発明が解決しようとする課題】
【０００９】
しかしながら、現在検討されている「Ｃｏｎｔｅｎｔｉｏｎ  Ｂａｓｅｄ  Ｇｒａｎｔ」を用いた衝突型上り送信制御方法では、移動局ＵＥは、ＣＢ-ＲＮＴＩを含む上りリンクスケジューリンググラントによって指定されている共有上りリソースを用いて上りデータ信号を送信した場合、自身によって送信された上りデータ信号の送信が成功したのか、或いは、同一の教養リソースを用いて送信された上りデータ信号の送信が成功したのかについて判断することができないという問題点があった。
【００１０】
そこで、本発明は、上述の課題に鑑みてなされたものであり、移動局において、ＣＢ-ＲＮＴＩを含む上りリンクスケジューリンググラントによって指定されている共有上りリソースを用いて送信された上りデータ信号の送信結果を確認することができる移動通信方法、無線基地局及び移動局を提供することを目的とする。
【課題を解決するための手段】
【００１１】
本発明の第１の特徴は、移動通信方法であって、移動局が、無線基地局から、特定の移動局の識別情報ではない所定識別情報を含む上りスケジューリング信号を受信した場合、該無線基地局に対して、該上りスケジューリング信号によって指定されている共有上りリソースを用いて、上りデータ信号を送信する工程Ａと、前記無線基地局が、前記移動局によって送信された前記上りデータ信号の受信に成功した場合、前記所定識別情報を含む下り制御信号を送信する工程Ｂと、前記無線基地局が、前記下り制御信号によって指定されている下りリソースを用いて、前記移動局の識別情報を含む下りデータ信号を送信する工程Ｃとを有することを要旨とする。
【００１２】
本発明の第２の特徴は、移動通信方法であって、移動局が、無線基地局から、特定の移動局の識別情報ではない所定識別情報を含む上りスケジューリング信号を受信した場合、該無線基地局に対して、該上りスケジューリング信号によって指定されている共有上りリソースを用いて、上りデータ信号を送信する工程Ａと、前記無線基地局が、前記移動局によって送信された前記上りデータ信号の受信に成功した場合、前記移動局の識別情報を含む下り制御信号を送信する工程Ｂと、前記無線基地局が、前記下り制御信号によって指定されている下りリソースを用いて、前記上りデータ信号の受信に成功した旨を示す下りデータ信号を送信する工程Ｃとを有することを要旨とする。
【００１３】
本発明の第３の特徴は、無線基地局であって、特定の移動局の識別情報ではない所定識別情報を含む上りスケジューリング信号によって指定されている共有上りリソースを用いて、移動局ＵＥによって送信された上りデータ信号の受信に成功した場合、該所定識別情報を含む下り制御信号を送信するように構成されている下り制御信号送信部と、前記下り制御信号によって指定されている下りリソースを用いて、前記移動局の識別情報を含む下りデータ信号を送信するように構成されている下りデータ信号送信部とを具備することを要旨とする。
【００１４】
本発明の第４の特徴は、無線基地局であって、特定の移動局の識別情報ではない所定識別情報を含む上りスケジューリング信号によって指定されている共有上りリソースを用いて、移動局によって送信された上りデータ信号の受信に成功した場合、該移動局の識別情報を含む下り制御信号を送信するように構成されている下り制御信号送信部と、前記下り制御信号によって指定されている下りリソースを用いて、前記上りデータ信号の受信に成功した旨を示す下りデータ信号を送信するように構成されている下りデータ信号送信部とを具備することを要旨とする。
【００１５】
本発明の第５の特徴は、移動局であって、無線基地局から、特定の移動局の識別情報ではない所定識別情報を含む上りスケジューリング信号を受信した場合、該無線基地局に対して、該上りスケジューリング信号によって指定されている共有上りリソースを用いて、上りデータ信号を送信するように構成されている上りデータ信号送信部と、前記無線基地局から、前記所定識別情報を含む下り制御信号を受信するように構成されている下り制御信号受信部と、前記無線基地局から、前記下り制御信号によって指定されている下りリソースを用いて、前記移動局の識別情報を含む下りデータ信号を受信するように構成されている下りデータ信号受信部とを具備し、前記上りデータ信号送信部は、前記上りデータ信号を送信してから所定期間内に前記下りデータ信号を受信しない場合には、該上りデータ信号の送信に失敗したものと判定するように構成されていることを要旨とする。
【００１６】
本発明の第６の特徴は、移動局であって、無線基地局から、特定の移動局の識別情報ではない所定識別情報を含む上りスケジューリング信号を受信した場合、該無線基地局に対して、該上りスケジューリング信号によって指定されている共有上りリソースを用いて、上りデータ信号を送信するように構成されている上りデータ信号送信部と、前記無線基地局から、前記移動局の識別情報を含む下り制御信号を受信するように構成されている下り制御信号受信部と、前記無線基地局から、前記下り制御信号によって指定されている下りリソースを用いて、前記上りデータ信号の受信に成功した旨を示す下りデータ信号を受信するように構成されている下りデータ信号受信部とを具備し、前記上りデータ信号送信部は、前記上りデータ信号を送信してから所定期間内に前記下りデータ信号を受信しない場合には、該上りデータ信号の送信に失敗したものと判定するように構成されていることを要旨とする。
【発明の効果】
【００１７】
以上説明したように、本発明によれば、移動局において、ＣＢ-ＲＮＴＩを含む上りリンクスケジューリンググラントによって指定されている共有上りリソースを用いて送信された上りデータ信号の送信結果を確認することができる移動通信方法、無線基地局及び移動局を提供することができる。
【図面の簡単な説明】
【００１８】
【図１】本発明の第１の実施形態に係る移動通信システムの全体構成図である。
【図２】本発明の第１の実施形態に係る無線基地局の機能ブロック図である。
【図３】本発明の第１の実施形態に係る移動局の機能ブロック図である。
【図４】本発明の第１の実施形態に係る移動通信システムの動作を示すシーケンス図である。
【図５】本発明の変更例１に係る無線基地局によって送信されるＭＡＣ-ＣＥに付与されるＭＡＣヘッダの一例を示す図である。
【図６】本発明の変更例１に係る移動通信システムの動作を示すシーケンス図である。
【発明を実施するための形態】
【００１９】
（本発明の第１の実施形態に係る移動通信システムの構成）
図１乃至図４を参照して、本発明の第１の実施形態に係る移動通信システムの構成について説明する。
【００２０】
本実施形態に係る移動通信システムは、ＬＴＥ-Ａｄｖｅｎｃｅｄ方式の移動通信システムであり、上りリンクの同期状態が保たれている移動局ＵＥに対して、「Ｃｏｎｔｅｎｔｉｏｎ  Ｂａｓｅｄ  Ｇｒａｎｔ」を用いた衝突型上り送信制御方法を適用するように構成されている。
【００２１】
図１に示すように、本実施形態に係る移動通信システムでは、移動局ＵＥは、無線基地局ｅＮＢに対して、ＰＵＳＣＨを介して、上りデータ信号を送信し、ＰＵＣＣＨ（Ｐｈｙｓｉｃａｌ  Ｕｐｌｉｎｋ  Ｃｏｎｔｒｏｌ  Ｃｈａｎｎｅｌ、物理上りリンク制御チャネル）を介して、上り制御信号を送信するように構成されている。
【００２２】
一方、本実施形態に係る移動通信システムでは、無線基地局ｅＮＢは、移動局ＵＥに対して、ＰＤＳＣＨ（Ｐｈｙｓｉｃａｌ  Ｄｏｗｎｌｉｎｋ  Ｓｈａｒｅｄ  Ｃｈａｎｎｅｌ、物理下りリンク共有チャネル）を介して、下りデータ信号を送信し、ＰＤＣＣＨを介して、下り制御信号を送信し、ＰＨＩＣＨ（Ｐｈｙｓｉｃａｌ  ＨＡＲＱ  Ｉｎｄｉｃａｔｏｒ  Ｃｈａｎｎｅｌ）を介して、上述の上りデータ信号に対する送達確認結果（ＡＣＫ/ＮＡＣＫ）を送信するように構成されている。
【００２３】
図２に示すように、無線基地局ｅＮＢは、ＲＲＣ  Ｒｅｃｏｎｆｉｇｕｒａｔｉｏｎ処理部１１と、ＰＤＣＣＨ送信部１２と、ＰＵＳＣＨ受信部１３と、ＰＨＩＣＨ送信部１４と、Ｃｏｎｔｅｎｔｉｏｎ  Ｒｅｓｏｌｕｔｉｏｎ処理部１５とを具備している。
【００２４】
ＲＲＣ  Ｒｅｃｏｎｆｉｇｕｒａｔｉｏｎ処理部１１は、移動局ＵＥに対して「ＲＲＣ  Ｒｅｃｏｎｆｉｇｕｒａｔｉｏｎ」を送信し、移動局ＵＥから「ＲＲＣ  Ｒｅｃｏｎｆｉｇｕｒａｔｉｏｎ  Ｃｏｍｐｌｅｔｅ」を受信することによって、移動局ＵＥとの間のＲＲＣコネクションに係るＲＲＣ  Ｒｅｃｏｎｆｉｇｕｒａｔｉｏｎ処理を行うように構成されている。
【００２５】
例えば、ＲＲＣ  Ｒｅｃｏｎｆｉｇｕｒａｔｉｏｎ処理部１１は、移動局ＵＥに対して、「ＲＲＣ  Ｒｅｃｏｎｆｉｇｕｒａｔｉｏｎ」によって、後述するＣＲタイマの値を通知するように構成されていてもよい。
【００２６】
ＰＤＣＣＨ送信部１２は、下り制御信号として、移動局ＵＥのＣ-ＲＮＴＩ宛てのＰＤＣＣＨを介して上りリンクスケジューリンググラントを送信するように構成されている、換言すると、ＰＤＣＣＨを介して移動局ＵＥのＣ-ＲＮＴＩを含み個別上りリソースを指定する上りリンクスケジューリンググラント（上りスケジューリング信号）を送信するように構成されている。
【００２７】
また、ＰＤＣＣＨ送信部１２は、下り制御信号として、ＣＢ-ＲＮＴＩ宛てのＰＤＣＣＨを介して上りリンクスケジューリンググラントを送信するように構成されている、換言すると、ＰＤＣＣＨを介してＣＢ-ＲＮＴＩを含み共有上りリソースを指定する上りリンクスケジューリンググラント（上りスケジューリング信号）を送信するように構成されている。
【００２８】
ここで、移動局ＵＥのＣ-ＲＮＴＩを含む上りリンクスケジューリンググラントは、移動局ＵＥのみが使用可能な上りリソースを指定するため、本明細書では、かかる上りリンクスケジューリンググラントによって指定されている上りリソースを「個別上りリソース」と示す。
【００２９】
一方、ＣＢ-ＲＮＴＩを含む上りリンクスケジューリンググラントは、複数の移動局ＵＥが使用可能な上りリソースを指定するため、本明細書では、かかる上りリンクスケジューリンググラントによって指定されている上りリソースを「共有上りリソース」と示す。
【００３０】
なお、ＣＢ-ＲＮＴＩは、特定の移動局ＵＥのＣＲＮＴＩではない所定識別情報であって、無線基地局ｅＮＢによって報知情報で指定されてもよいし、無線基地局ｅＮＢによって個別シグナリング（例えば、ＲＲＣメッセージである「ＲＲＣ  Ｒｅｃｏｎｆｉｇｕｒａｔｉｏｎ」）で指定されてもよい。
【００３１】
ＰＵＳＣＨ受信部１３は、ＰＵＳＣＨを介して、移動局ＵＥによって個別上りリソース或いは共有上りリソースを用いて送信された上りデータ信号を受信するように構成されている。
【００３２】
ここで、移動局ＵＥと無線基地局ｅＮＢとの間で、上述の上りデータ信号の送受信は、複数のＨＡＲＱプロセスによって並行して行われるように構成されていてもよい。かかる場合、上述の上りデータ信号に付与されているＭＡＣ-ＣＥ（Ｃｏｎｔｒｏｌ  Ｅｌｅｍｅｎｔ）に、かかるＨＡＲＱプロセスの識別情報（プロセスＩＤ）が含まれていてもよい。
【００３３】
ＰＨＩＣＨ送信部１４は、ＰＵＳＣＨ受信部１３における移動局ＵＥからの上りデータ信号の受信結果を示す送達確認信号（ＡＣＫ/ＮＡＣＫ）を、移動局ＵＥに対してＰＨＩＣＨを介して送信するように構成されている。
【００３４】
Ｃｏｎｔｅｎｔｉｏｎ  Ｒｅｓｏｌｕｔｉｏｎ処理部１５は、ＣＢ-ＲＮＴＩを含む上りリンクスケジューリンググラントによって指定されている共有上りリソースを介して上りデータ信号を送信した移動局ＵＥに対して、かかる上りデータ信号の受信に成功した旨を通知するように構成されている。
【００３５】
例えば、Ｃｏｎｔｅｎｔｉｏｎ  Ｒｅｓｏｌｕｔｉｏｎ処理部１５は、上述の上りデータ信号の受信に成功した場合、ＰＤＣＣＨを介してＣＢ-ＲＮＴＩを含む下りスケジューリング情報（Ｄｏｗｎｌｉｎｋ  Ｓｃｈｅｄｕｌｉｎｇ  Ｉｎｆｏｒｍａｔｉｏｎ、下り制御信号）を送信するように構成されており、かかる下りスケジューリング情報によって指定されている下りリソースを用いて、ＰＤＳＣＨを介して移動局ＵＥのＣ-ＲＮＴＩを含むＭＡＣ-ＣＥ（下りデータ信号）を送信するように構成されている。
【００３６】
なお、移動局ＵＥと無線基地局ｅＮＢとの間で、上述の上りデータ信号の送受信が、複数のＨＡＲＱプロセスによって並行して行われている場合、Ｃｏｎｔｅｎｔｉｏｎ  Ｒｅｓｏｌｕｔｉｏｎ処理部１５は、上述のＭＡＣ-ＣＥに、上述の上りデータ信号を送信した移動局ＵＥにおけるＨＡＲＱプロセスの識別情報（プロセスＩＤ）を更に含めて送信するように構成されていてもよい。
【００３７】
かかる場合、Ｃｏｎｔｅｎｔｉｏｎ  Ｒｅｓｏｌｕｔｉｏｎ処理部１５は、ＰＵＳＣＨ受信部１３によって受信された上りデータ信号に付与されているＭＡＣ-ＣＥに含まれているプロセスＩＤを、上述のＭＡＣ-ＣＥに含めて送信するように構成されている。
【００３８】
図３に示すように、移動局ＵＥは、ＲＲＣ  Ｒｅｃｏｎｆｉｇｕｒａｔｉｏｎ処理部２１と、ＣＲタイマ管理部２２と、ＰＤＣＣＨ受信部２３と、ＰＵＳＣＨ送信部２４と、ＰＨＩＣＨ受信部２５と、ＰＤＳＣＨ受信部２６とを具備している。
【００３９】
ＲＲＣ  Ｒｅｃｏｎｆｉｇｕｒａｔｉｏｎ処理部２１は、無線基地局ｅＮＢとの間のＲＲＣコネクションに係るＲＲＣ  Ｒｅｃｏｎｆｉｇｕｒａｔｉｏｎ処理を行うように構成されている。
【００４０】
例えば、ＲＲＣ  Ｒｅｃｏｎｆｉｇｕｒａｔｉｏｎ処理部２１は、無線基地局ｅＮＢによって送信された「ＲＲＣ  Ｒｅｃｏｎｆｉｇｕｒａｔｉｏｎ」を介して、ＣＲタイマの値やＣＢ-ＲＮＴＩ等を取得するように構成されていてもよい。
【００４１】
ＣＲタイマ管理部２２は、ＣＲタイマを管理するように構成されている。例えば、ＣＲタイマ管理部２２は、ＲＲＣ  Ｒｅｃｏｎｆｉｇｕｒａｔｉｏｎ処理部２１によって取得されたＣＲタイマの値を所定期間として管理するように構成されている。
【００４２】
例えば、ＣＲタイマ管理部２２は、ＰＵＳＣＨ送信部２４によって共有上りリソースを用いて上りデータ信号を送信した際にＣＲタイマを起動し、無線基地局ｅＮＢのＣｏｎｔｅｎｔｉｏｎ  Ｒｅｓｏｌｕｔｉｏｎ処理部１５によって送信された移動局ＵＥのＣ-ＲＮＴＩを含むＭＡＣ-ＣＥを受信しないで所定期間が満了した場合に、ＣＲタイマを停止するように構成されている。
【００４３】
ＰＤＣＣＨ受信部２３は、移動局ＵＥのＣ-ＲＮＴＩ宛てのＰＤＣＣＨを介して送信される上りリンクスケジューリンググラント、換言すると、ＰＤＣＣＨを介して移動局ＵＥのＣ-ＲＮＴＩを含む第１上りリンクスケジューリンググラントを受信するように構成されている。
【００４４】
また、ＰＤＣＣＨ受信部２３は、ＣＢ-ＲＮＴＩ宛てのＰＤＣＣＨを介して送信される上りリンクスケジューリンググラント、換言すると、ＣＢ-ＲＮＴＩを含む第２上りリンクスケジューリンググラントを受信するように構成されている。
【００４５】
また、ＰＤＣＣＨ受信部２３は、ＣＢ-ＲＮＴＩを含む下りスケジューリング情報を受信するように構成されている。
【００４６】
ＰＵＳＣＨ送信部２４は、無線基地局ｅＮＢに対して、移動局ＵＥのＣ-ＲＮＴＩを含む上りリンクスケジューリンググラントによって指定されている個別上りリソースを用いて、ＰＵＳＣＨを介して、上りデータ信号を送信するように構成されている。
【００４７】
また、ＰＵＳＣＨ送信部２４は、無線基地局ｅＮＢに対して、ＣＢ-ＲＮＴＩを含む上りリンクスケジューリンググラントによって指定されている共有上りリソースを用いて、ＰＵＳＣＨを介して、上りデータ信号を送信するように構成されている。
【００４８】
ここで、ＰＵＳＣＨ送信部２４は、並行して複数のＨＡＲＱプロセスを用いて、共有上りリソースを用いて、上りデータ信号を送信するように構成されていてもよい。かかる場合、ＰＵＳＣＨ送信部２４は、上りデータ信号を送信するＨＡＲＱプロセスの識別情報（プロセスＩＤ）を含むＭＡＣ-ＣＥを、当該上りデータ信号に含めて送信するように構成されていてもよい。
【００４９】
なお、かかるプロセスＩＤの送信を省略するために、１つの移動局ＵＥ内で、共有上りリソースを用いて並行して上りデータ信号を送信可能なＨＡＲＱプロセスの数が１つに限定されていてもよい。
【００５０】
また、ＰＵＳＣＨ送信部２４は、共有上りリソースを用いて上りデータ信号を送信している際に、移動局ＵＥのＣ-ＲＮＴＩを含む上りリンクスケジューリンググラントによって個別上りリソースが割り当てられた場合、かかる共有上りリソースを用いた上りデータ信号の送信を中止し、かかる個別上りリソースを用いた上りデータ信号の送信を開始するように構成されていてもよい。
【００５１】
かかる場合、共有上りリソースは、他の移動局ＵＥによって使用され得るため、無駄にはならない。
【００５２】
ＰＨＩＣＨ受信部２５は、ＰＵＳＣＨ送信部２４によって送信された上りデータ信号の受信結果を示す送達確認信号（ＡＣＫ/ＮＡＣＫ）を、ＰＨＩＣＨを介して受信するように構成されている。
【００５３】
ＰＤＳＣＨ受信部２４は、ＰＤＣＣＨ受信部２３によって受信されたＣＢ-ＲＮＴＩを含む下りスケジューリング情報によって指定されている下りリソースを用いて、移動局ＵＥのＣ-ＲＮＴＩを含むＭＡＣ-ＣＥを受信するように構成されている。
【００５４】
ここで、ＰＵＳＣＨ送信部２４は、ＰＵＳＣＨ送信部２４によって共有上りリソースを用いて上りデータ信号を送信してから所定期間内に上述の移動局ＵＥのＣ-ＲＮＴＩを含むＭＡＣ-ＣＥを受信しない場合には、かかる上りデータ信号の送信に失敗したものと判定するように構成されていてもよい。
【００５５】
そして、ＰＵＳＣＨ送信部２４は、上述の上りデータ信号の送信に失敗したものと判定した後、ＣＢ-ＲＮＴＩ或いは移動局ＵＥのＣ-ＲＮＴＩを含む上りリンクスケジューリンググラントを受信した場合、かかる上りリンクスケジューリンググラントによって指定されている共有上りリソース或いは個別上りリソースを用いて、かかる上りデータ信号を再送するように構成されていてもよい。
【００５６】
また、ＰＵＳＣＨ送信部２４は、上りデータ信号を送信した際に、かかる上りデータ信号を構成するＭＡＣ-ＰＤＵを保持しておき、かかる上りデータ信号の送信に失敗したものと判定した後、受信した上りリンクスケジューリンググラントによって指定されているＰＤＵサイズ内に当該ＭＡＣ-ＰＤＵのサイズが収まる場合に、ＭＡＣレイヤにおける再送処理を行うように構成されていてもよい。
【００５７】
ここで、ＭＡＣレイヤにおける再送処理における最大再送回数が、ＲＲＣ  Ｒｅｃｏｎｆｉｇｕｒａｔｉｏｎ処理において、無線基地局ｅＮＢから移動局ＵＥに対して通知されていてもよい。
【００５８】
なお、ＰＵＳＣＨ送信部２４は、ＭＡＣレイヤにおける再送処理の代わりに、ＲＬＣレイヤにおける再送処理を行うように構成されていてもよい。
【００５９】
また、ＰＵＳＣＨ送信部２４は、ＲＬＣ-ＡＭが適用されている論理チャネルに対してのみ、共有上りリソースを用いた上りデータ信号の送信を行うように構成されていてもよい。
【００６０】
（本発明の第１の実施形態に係る移動通信システムの動作）
図４を参照して、本発明の第１の実施形態に係る移動通信システムの動作について説明する。
【００６１】
図４に示すように、ステップＳ１００１において、無線基地局ｅＮＢは、移動局ＵＥに対して、ＣＢ-ＲＮＴＩ及びＣＲタイマの値を示す「ＲＲＣ  Ｒｅｃｏｎｆｉｇｕｒａｔｉｏｎ」を送信する。
【００６２】
ステップＳ１００２において、移動局ＵＥは、無線基地局ｅＮＢに対して、「ＲＲＣ  Ｒｅｃｏｎｆｉｇｕｒａｔｉｏｎ  Ｃｏｍｐｌｅｔｅ」を送信する。
【００６３】
ステップＳ１０１０において、無線基地局ｅＮＢは、移動局ＵＥに対して、ＰＤＣＣＨを介して、ＣＢ-ＲＮＴＩを含む上りリンクスケジューリンググラントを送信する。
【００６４】
ステップＳ１０１１において、移動局ＵＥは、無線基地局ｅＮＢに対して、ＰＵＳＣＨを介して、Ｃ-ＲＮＴＩ及びプロセスＩＤを含むＭＡＣ-ＣＥが付加された上りデータ信号を送信する。
【００６５】
無線基地局ｅＮＢは、かかる上りデータ信号の受信に失敗した場合、ステップＳ１０１２において、移動局ＵＥに対して、ＰＨＩＣＨを介して、ＨＡＲＱ-ＮＡＣＫを送信する。
【００６６】
ステップＳ１０１３において、移動局ＵＥは、受信したＨＡＲＱ-ＮＡＣＫに応じて、ＭＡＣレイヤにおける再送を行う、すなわち、無線基地局ｅＮＢに対して、ＰＵＳＣＨを介して、Ｃ-ＲＮＴＩ及びプロセスＩＤを含むＭＡＣ-ＣＥが付加された上りデータ信号を再送する。
【００６７】
無線基地局ｅＮＢは、かかる上りデータ信号の受信に成功した場合、ステップＳ１０１４において、移動局ＵＥに対して、ＰＨＩＣＨを介して、ＨＡＲＱ-ＡＣＫを送信する。
【００６８】
無線基地局ｅＮＢは、移動局ＵＥに対して、ステップＳ１０１５において、ＰＤＣＣＨを介して、ＣＢ-ＲＮＴＩを含む下りスケジューリング情報を送信し、ステップＳ１０１６において、かかる下りスケジューリング情報によって指定されている下りリソースを用いて、ＰＤＳＣＨを介して、移動局ＵＥのＣ-ＲＮＴＩ及びプロセスＩＤを含むＭＡＣ-ＣＥを送信する。
【００６９】
移動局ＵＥは、かかるＭＡＣ-ＣＥを受信した場合に、ステップＳ１０１３において自身によって共有上りリソースを用いて送信された上りデータ信号の送信に成功したと判断する。
【００７０】
（本発明の第１の実施形態に係る移動通信システムの作用・効果）
本発明の第１の実施形態に係る移動通信システムによれば、移動局ＵＥは、移動局ＵＥのＣ-ＲＮＴＩを含むＭＡＣ-ＣＥの受信の有無によって、共有上りリソースを用いて自身が送信した上りデータ信号の送信結果を確認することができる。
【００７１】
（変更例１）
図５及び図６を参照して、本変更例１に係る移動通信システムについて、上述の第１の実施形態に係る移動通信システムとの相違点に着目して説明する。
【００７２】
本変更例１に係る移動通信システムでは、無線基地局ｅＮＢのＣｏｎｔｅｎｔｉｏｎ  Ｒｅｓｏｌｕｔｉｏｎ処理部１５は、ＣＢ-ＲＮＴＩを含む上りリンクスケジューリンググラントによって指定されている共有上りリソースを用いて、移動局ＵＥによって送信された上りデータ信号の受信に成功した場合、移動局ＵＥのＣ-ＲＮＴＩを含む下りスケジューリング情報を送信するように構成されている。
【００７３】
また、無線基地局ｅＮＢのＣｏｎｔｅｎｔｉｏｎ  Ｒｅｓｏｌｕｔｉｏｎ処理部１５は、上述の下りスケジューリング情報によって指定されている下りリソースを用いて、上述の上りデータ信号の受信に成功した旨を示すＭＡＣ-ＣＥを送信するように構成されている。
【００７４】
例えば、かかるＭＡＣ-ＣＥは、図６に示すように、データ部分が空で、ＭＡＣヘッダ部分のＬＣＩＤ（Ｌｏｇｉｃａｌ  Ｃｈａｎｎｅｌ  ＩＤ）値に専用の値が設定されていてもよい。
【００７５】
なお、上述の下りスケジューリング情報に、移動局ＵＥによって送信された上りデータ信号の受信に成功した旨を示すフラグ（例えば、１ビット）が設定されていてもよい。かかる場合、上述のＭＡＣ-ＣＥの送信が省略されていてもよい。
【００７６】
また、上述のＭＡＣ-ＣＥには、上述の上りデータ信号を送信した移動局ＵＥにおけるＨＡＲＱプロセスの識別情報（プロセスＩＤ）が含まれていてもよい。
【００７７】
移動局ＵＥのＰＤＣＣＨ受信部２３は、無線基地局ｅＮＢから、移動局ＵＥのＣ-ＲＮＴＩを含む下りスケジューリング情報を受信するように構成されている。
【００７８】
また、移動局ＵＥのＰＤＳＣＨ受信部２６は、無線基地局ｅＮＢから、かかる下りスケジューリング情報によって指定されている下りリソースを用いて、上述の上りデータ信号の受信に成功した旨を示すＭＡＣ-ＣＥを受信するように構成されている。
【００７９】
図６を参照して、本変更例１に係る移動通信システムの動作について説明する。
【００８０】
図６に示すように、ステップＳ２００１乃至Ｓ２０１４の動作は、図４に示すステップＳ１００１乃至Ｓ１０１４の動作と同一である。
【００８１】
無線基地局ｅＮＢは、移動局ＵＥに対して、ステップＳ２０１５において、ＰＤＣＣＨを介して、移動局ＵＥのＣ-ＲＮＴＩを含む下りスケジューリング情報を送信し、ステップＳ２０１６において、かかる下りスケジューリング情報によって指定されている下りリソースを用いて、ＰＤＳＣＨを介して、ステップＳ２０１３において移動局ＵＥによって送信された上りデータ信号の受信に成功した旨を示し、その際に用いられたＨＡＲＱプロセスのプロセスＩＤを含むＭＡＣ-ＣＥを送信する。
【００８２】
移動局ＵＥは、かかるＭＡＣ-ＣＥを受信した場合に、ステップＳ２０１３において自身によって共有上りリソースを用いて送信された上りデータ信号の送信に成功したと判断する。
【００８３】
以上に述べた本実施形態の特徴は、以下のように表現されていてもよい。
【００８４】
本実施形態の第１の特徴は、移動通信方法であって、移動局ＵＥが、無線基地局ｅＮＢから、ＣＢ-ＲＮＴＩ（特定の移動局の識別情報ではない所定識別情報）を含む上りリンクスケジューリンググラント（上りスケジューリング信号）を受信した場合、無線基地局ｅＮＢに対して、かかる上りリンクスケジューリンググラントによって指定されている共有上りリソースを用いて、上りデータ信号を送信する工程Ａと、無線基地局ｅＮＢが、移動局ＵＥによって送信された上りデータ信号の受信に成功した場合、ＣＢ-ＲＮＴＩを含む下りスケジューリング情報（下り制御信号）を送信する工程Ｂと、無線基地局ｅＮＢが、かかる下りスケジューリング情報によって指定されている下りリソースを用いて、移動局ＵＥのＣ-ＲＮＴＩを含むＭＡＣ-ＣＥ（下りデータ信号）を送信する工程Ｃとを有することを要旨とする。
【００８５】
本実施形態の第１の特徴において、工程Ｃにおいて、ＭＡＣ-ＣＥは、工程Ａにおいて上りデータ信号を送信したＨＡＲＱプロセスの識別情報を更に含んでもよい。
【００８６】
本実施形態の第１の特徴において、移動局ＵＥが、工程Ａにおいて上りデータ信号を送信してから所定期間内に上述のＭＡＣ-ＣＥを受信しない場合には、工程Ａにおける上りデータ信号の送信に失敗したものと判定する工程を更に有してもよい。
【００８７】
本実施形態の第１の特徴において、移動局ＵＥが、工程Ａにおける上りデータ信号の送信に失敗したものと判定した後、ＣＢ-ＲＮＴＩ或いは移動局ＵＥのＣ-ＲＮＴＩを含む上りリンクスケジューリンググラントを受信した場合、かかる上りリンクスケジューリンググラントによって指定されている共有上りリソース或いは個別上りリソースを用いて、上りデータ信号を再送する工程を更に有してもよい。
【００８８】
本実施形態の第２の特徴は、移動通信方法であって、移動局ＵＥが、無線基地局ｅＮＢから、ＣＢ-ＲＮＴＩを含む上りリンクスケジューリンググラントを受信した場合、無線基地局ｅＮＢに対して、上りリンクスケジューリンググラントによって指定されている共有上りリソースを用いて、上りデータ信号を送信する工程Ａと、無線基地局ｅＮＢが、移動局ＵＥによって送信された上りデータ信号の受信に成功した場合、移動局ＵＥのＣ-ＲＮＴＩを含む下りスケジューリング情報を送信する工程Ｂと、無線基地局ｅＮＢが、かかる下りスケジューリング情報によって指定されている下りリソースを用いて、上りデータ信号の受信に成功した旨を示すＭＡＣ-ＣＥを送信する工程Ｃとを有することを要旨とする。
【００８９】
本実施形態の第２の特徴において、工程Ｃにおいて、ＭＡＣ-ＣＥは、工程Ａにおいて上りデータ信号を送信したＨＡＲＱプロセスの識別情報を更に含んでもよい。
【００９０】
本実施形態の第２の特徴において、移動局ＵＥが、工程Ａにおいて上りデータ信号を送信してから所定期間内に上述のＭＡＣ-ＣＥを受信しない場合には、工程Ａにおける上りデータ信号の送信に失敗したものと判定する工程を更に有してもよい。
【００９１】
本実施形態の第２の特徴において、移動局ＵＥが、工程Ａにおける上りデータ信号の送信に失敗したものと判定した後、ＣＢ-ＲＮＴＩ或いは移動局ＵＥのＣ-ＲＮＴＩを含む上りリンクスケジューリンググラントを受信した場合、かかる上りリンクスケジューリンググラントによって指定されている共有上りリソース或いは個別上りリソースを用いて、上りデータ信号を再送する工程を更に有してもよい。
【００９２】
本実施形態の第３の特徴は、無線基地局ｅＮＢであって、ＣＢ-ＲＮＴＩを含む上りリンクスケジューリンググラントによって指定されている共有上りリソースを用いて、移動局ＵＥによって送信された上りデータ信号の受信に成功した場合、ＣＢ-ＲＮＴＩを含む下りスケジューリング情報を送信するように構成されており、かかる下りスケジューリング情報によって指定されている下りリソースを用いて、移動局ＵＥのＣ-ＲＮＴＩを含むＭＡＣ-ＣＥを送信するように構成されているＣｏｎｔｅｎｔｉｏｎ  Ｒｅｓｏｌｕｔｉｏｎ処理部１５を具備することを要旨とする。
【００９３】
本実施形態の第３の特徴において、Ｃｏｎｔｅｎｔｉｏｎ  Ｒｅｓｏｌｕｔｉｏｎ処理部１５は、上述の上りデータ信号を送信した移動局ＵＥにおけるＨＡＲＱプロセスの識別情報を更に含むＭＡＣ-ＣＥを送信するように構成されていてもよい。
【００９４】
本実施形態の第４の特徴は、無線基地局ｅＮＢであって、ＣＢ-ＲＮＴＩを含む上りリンクスケジューリンググラントによって指定されている共有上りリソースを用いて、移動局ＵＥによって送信された上りデータ信号の受信に成功した場合、移動局ＵＥのＣ-ＲＮＴＩを含む下りスケジューリング情報を送信するように構成されており、かかる下りスケジューリング情報によって指定されている下りリソースを用いて、上りデータ信号の受信に成功した旨を示すＭＡＣ-ＣＥを送信するように構成されているＣｏｎｔｅｎｔｉｏｎ  Ｒｅｓｏｌｕｔｉｏｎ処理部１５を具備することを要旨とする。
【００９５】
本実施形態の第４の特徴において、Ｃｏｎｔｅｎｔｉｏｎ  Ｒｅｓｏｌｕｔｉｏｎ処理部１５は、上述の下りスケジューリング情報によって指定されている下りリソースを用いて、上述の上りデータ信号を送信した移動局ＵＥにおけるＨＡＲＱプロセスの識別情報を更に含むＭＡＣ-ＣＥを送信するように構成されていてもよい。
【００９６】
本実施形態の第５の特徴は、移動局ＵＥであって、無線基地局ｅＮＢから、ＣＢ-ＲＮＴＩを含む上りリンクスケジューリンググラントを受信した場合、無線基地局ｅＮＢに対して、上りリンクスケジューリンググラントによって指定されている共有上りリソースを用いて、上りデータ信号を送信するように構成されているＰＵＳＣＨ送信部２４と、無線基地局ｅＮＢから、ＣＢ-ＲＮＴＩを含む下りスケジューリング情報を受信するように構成されているＰＤＣＣＨ受信部２３と、無線基地局ｅＮＢから、かかる下りスケジューリング情報によって指定されている下りリソースを用いて、移動局ＵＥのＣ-ＲＮＴＩを含むＭＡＣ-ＣＥを受信するように構成されているＰＤＳＣＨ受信部２６とを具備し、ＰＵＳＣＨ送信部２４は、上述の上りデータ信号を送信してから所定期間内に上述のＭＡＣ-ＣＥを受信しない場合には、かかる上りデータ信号の送信に失敗したものと判定するように構成されていることを要旨とする。
【００９７】
本実施形態の第５の特徴において、ＰＵＳＣＨ送信部２４は、上述の上りデータ信号の送信に失敗したものと判定した後、ＣＢ-ＲＮＴＩ或いは移動局ＵＥのＣ-ＲＮＴＩを含む上りリンクスケジューリンググラントを受信した場合、かかる上りリンクスケジューリンググラントによって指定されている共有上りリソース或いは個別上りリソースを用いて、上りデータ信号を再送するように構成されていてもよい。
【００９８】
本実施形態の第６の特徴は、移動局ＵＥであって、無線基地局ｅＮＢから、ＣＢ-ＲＮＴＩを含む上りリンクスケジューリンググラントを受信した場合、無線基地局ｅＮＢに対して、上りリンクスケジューリンググラントによって指定されている共有上りリソースを用いて、上りデータ信号を送信するように構成されているＰＵＳＣＨ送信部２４と、無線基地局ｅＮＢから、移動局ＵＥのＣ-ＲＮＴＩを含む下りスケジューリング情報を受信するように構成されているＰＤＣＣＨ受信部２３と、無線基地局ｅＮＢから、かかる下りスケジューリング情報によって指定されている下りリソースを用いて、上述の上りデータ信号の受信に成功した旨を示すＭＡＣ-ＣＥを受信するように構成されているＰＤＳＣＨ受信部２６とを具備し、ＰＵＳＣＨ送信部２４は、上述の上りデータ信号を送信してから所定期間内に上述のＭＡＣ-ＣＥを受信しない場合には、上述の上りデータ信号の送信に失敗したものと判定するように構成されていることを要旨とする。
【００９９】
本実施形態の第６の特徴において、ＰＵＳＣＨ送信部２４は、上述の上りデータ信号の送信に失敗したものと判定した後、ＣＢ-ＲＮＴＩ或いは移動局ＵＥのＣ-ＲＮＴＩを含む上りリンクスケジューリンググラントを受信した場合、かかる上りリンクスケジューリンググラントによって指定されている共有上りリソース或いは個別上りリソースを用いて、上りデータ信号を再送するように構成されていてもよい。
【０１００】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【０１０１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【０１０３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０４】
ｅＮＢ…無線基地局
１１、２１…ＲＲＣ  Ｒｅｃｏｎｆｉｇｕｒａｔｉｏｎ処理部
１２…ＰＤＣＣＨ送信部
１３…ＰＵＳＣＨ受信部
１４…ＰＨＩＣＨ送信部
１５…Ｃｏｎｔｅｎｔｉｏｎ  Ｒｅｓｏｌｕｔｉｏｎ処理部
ＵＥ…移動局
２２…ＣＲタイマ管理部
２３…ＰＤＣＣＨ受信部
２４…ＰＵＳＣＨ送信部
２５…ＰＨＩＣＨ受信部
２６…ＰＤＳＣＨ受信部
【図１】
2011041160.tif 000003
【図２】
2011041160.tif 000004
【図３】
2011041160.tif 000005
【図４】
2011041160.tif 000006
【図５】
2011041160.tif 000007
【図６】
2011041160.tif 000008